(57)【要約】【課題】不測の操作によってスライド部材がケースから抜け出てしまうことを防止する。【解決手段】ケース１２と、スライド部材２５１と、スライド部材に設けられた穴に挿入され、定常位置においてスライド部材のスライド移動を禁止状態にロックするとともに、押下位置においてロックが解除されるボタン部材２６１と、ボタン部材を定常位置に向かって付勢するとともに、スライド部材のスライド移動の移動量を制限するバネ部材２７１と、スライド部材のスライド移動を検出して検出信号を出力する検出素子と、ボタン部材の定常位置から押下位置への変位量に対して制限を与えるストッパ部材２８１とを有して構成される。【選択図】  図９
2009301829.tif 000002
【特許請求の範囲】
【請求項１】
ケースと、
前記ケースに対するスライド移動が可能に設けられたスライド部材と、
前記スライド部材に設けられた穴に挿入されることにより前記スライド移動の方向と直角方向に移動可能であり、定常位置において前記スライド部材のスライド移動を禁止状態にロックするとともに、押下位置において前記ロックが解除されて前記スライド部材とともにスライド移動が可能なボタン部材と、
前記ボタン部材を前記定常位置に向かって付勢するとともに、前記スライド部材のスライド移動の移動量を制限するバネ部材と、
前記ケースに対して固定的に設けられ、前記スライド部材のスライド移動を検出して検出信号を出力する検出素子と、
前記ケースに対して固定的に設けられ、前記ボタン部材の定常位置から押下位置への変位量に対して制限を与えるストッパ部材と、
を有するスイッチ装置。
【請求項２】
ケースと、
前記ケースに対してスライド移動が可能に設けられたスライド部材と、
前記スライド部材に設けられた穴に挿入されることにより前記スライド移動の方向と直角方向に移動可能であり、定常位置において前記スライド部材のスライド移動を禁止状態にロックするとともに、押下位置において前記ロックを解除して前記スライド部材とともにスライド移動が可能なボタン部材と、
前記スライド移動の方向に延びる帯状であってその一端が前記ケースに固定され、その上面が前記ボタン部材の下端部に当接して前記ボタン部材を前記定常位置に向かって付勢するとともに、前記スライド部材に当接して前記スライド部材のスライド移動の移動量を制限する係止部が設けられたバネ部材と、
前記ケースに対して固定的に設けられ、前記スライド部材のスライド移動を検出して検出信号を出力する検出素子と、
前記ケースに対して固定的に設けられ、前記ボタン部材の定常位置から押下位置への変位量に対して制限を与えるストッパ部材と、
を有するスイッチ装置。
【請求項３】
前記ケースは、フロントケースとリアケ−スとが組み合わせられて構成されており、
前記スライド部材は、前記リアケ−スの側に設けられており、
前記検出素子および前記ストッパ部材は、いずれも前記リアケ−スに取り付けられたプリント基板に取り付けられている、
請求項２記載のスイッチ装置。
【請求項４】
前記検出素子および前記ストッパ部材は、いずれも前記プリント基板に表面実装による半田付けによって取り付けられている、
請求項３記載のスイッチ装置。
【請求項５】
前記ストッパ部材は、導電材料からなっており、前記プリント基板におけるグランドラインに接続されている、
請求項４記載のスイッチ装置。
【請求項６】
表面に操作部が設けられるフロントケースと前記フロントケースの裏面側に配置されるリアケ−スとを含む携帯端末機であって、
スイッチ装置と、
前記スイッチ装置が検出信号を出力したときに警報音を発する音声出力部と、を有し、
前記スイッチ装置は、
前記リアケ−スに対してスライド移動が可能に設けられたスライド部材と、
前記スライド部材に設けられた穴に挿入されることにより前記スライド移動の方向と直角方向に移動可能であり、定常位置において前記スライド部材のスライド移動を禁止状態にロックするとともに、押下位置において前記ロックを解除して前記スライド部材とともにスライド移動が可能なボタン部材と、
前記スライド移動の方向に延びる帯状であってその一端が前記リアケ−スに固定され、その上面が前記ボタン部材の下端部に当接して前記ボタン部材を前記定常位置に向かって付勢するとともに、前記スライド部材に当接して前記スライド部材のスライド移動の移動量を制限する係止部が設けられたバネ部材と、
前記リアケ−スに取り付けられたプリント基板に取り付けられ、前記スライド部材のスライド移動を検出して検出信号を出力する検出素子と、
前記プリント基板に取り付けられ、前記ボタン部材の定常位置から押下位置への変位量に対して制限を与えるストッパ部材と、を有する、
携帯端末機。
【発明の詳細な説明】
【技術分野】
【０００１】
本発明は、スライド移動することによって検出信号を出力するスイッチ装置およびスイッチ装置を備えた携帯端末機に関し、例えば防犯警報機能を備えた携帯端末機に利用される。
【背景技術】
【０００２】
近年において、携帯電話機の多機能化が進むとともに、薄型化、ファッション性、および使い易さへの要望が一層強くなっている。薄型化をさらに進めるには、フロントケース、リアケ−ス、電池、プリント基板、その他の電子部品など、各部の薄型化および小型化を図る必要がある。また、ファッション性を意識してアンテナを内蔵する傾向が一層高くなり、筐体内の狭い空間に効率よく多くの機能部品を収納する必要がある。
【０００３】
携帯電話機の機能の１つとして、防犯などのための警報機能がある。警報機能付きの携帯電話機として、筐体内に設けたスイッチを、リアケ−スなどに設けたスライド部材を移動させることによって作動させ、これによってスピーカから警報音を発するようにしたものが提案されている（特許文献１）。
【０００４】
警報機能のために用いられるスイッチ装置は、図１５に示すように、リアケ−ス１２ｊに対してスライド移動が可能に設けられたスライド部材３１１、スライド部材３１１に設けられた穴に挿入されたボタン部材３１２、ボタン部材３１２を上方に付勢する板バネ３１３、スライド部材３１１のスライド移動によってオンするスイッチＳＷ１０などから構成される。
【０００５】
ボタン部材３１２をユーザが指で押すと、板バネ３１３に抗してボタン部材３１２が下方へ押し込まれ、これによってロックが解除され、その状態で指を矢印Ｍ１０方向に移動させると、その方向にスライド部材３１１が移動し、ドグ部３１１ａによってスイッチＳＷ１０をオンする。スイッチＳＷ１０のオンによってスピーカから警報音を発する。スライド部材３１１の移動は、板バネ３１３の端縁部に当接することにより、そのストロークが規制される。
【特許文献１】特開２００８−１０９８１
【発明の開示】
【発明が解決しようとする課題】
【０００６】
このように、図１５に示すスイッチ装置による場合には、ボタン部材３１２を指で押しながら矢印Ｍ１０方向に移動させることによってスイッチＳＷ１０がオンするので、通常はこれによって正常な動作が行われる。
【０００７】
ところが、ユーザがそのような通常の操作を行うことなく、例えばボタン部材３１２を通常よりも強くかつ深く押すような不測の操作を行った場合には、板バネ３１３が通常よりも大きく下方に撓み、そのためスライド部材３１１が板バネ３１３の端縁部に当接しなくなり、スライド部材３１１の移動を規制するものがなくなることがある。そうした場合には、スライド部材３１１がリアケ−ス１２ｊから抜け出てしまう場合がある。
【０００８】
本発明は、上述の問題に鑑みてなされたもので、スライド部材のスライド移動を検出して検出信号を出力するスイッチ装置において、不測の操作によってスライド部材がケースから抜け出てしまうことのないスイッチ装置、およびそのようなスイッチ装置を備えた携帯端末機を提供することを目的とする。
【課題を解決するための手段】
【０００９】
本発明の実施形態に係る装置は、ケースと、前記ケースに対するスライド移動が可能に設けられたスライド部材と、前記スライド部材に設けられた穴に挿入されることにより前記スライド移動の方向と直角方向に移動可能であり、定常位置において前記スライド部材のスライド移動を禁止状態にロックするとともに、押下位置において前記ロックが解除されて前記スライド部材とともにスライド移動が可能なボタン部材と、前記ボタン部材を前記定常位置に向かって付勢するとともに、前記スライド部材のスライド移動の移動量を制限するバネ部材と、前記ケースに対して固定的に設けられ、前記スライド部材のスライド移動を検出して検出信号を出力する検出素子と、前記ケースに対して固定的に設けられ、前記ボタン部材の定常位置から押下位置への変位量に対して制限を与えるストッパ部材とを有して構成される。
【００１０】
スライド部材の存在によって、ボタン部材の変位量に制限が与えられ、バネ部材によるスライド部材のスライド移動の移動量の制限が支障なく行われる。
【発明の効果】
【００１１】
本発明によると、不測の操作によってスライド部材がケースから抜け出てしまうことがない。
【発明を実施するための最良の形態】
【００１２】
図１は本発明の一実施形態に係る携帯電話機１の外観を示す正面図、図２は図１の携帯電話機１の送話器側ＳＧのリアケ−ス１２側から見た分解斜視図、図３は図２のメインプリント基板２５を拡大して示す図、図４は図２のリアケ−ス１２を拡大して示す図、図５は図４のリアケ−ス１２におけるワンタッチブザースイッチＳＯＴの近辺を拡大して示す図である。
【００１３】
図１ないし図５において、本実施形態の携帯電話機１は、送話器側（固定側）ＳＧと受話器側（可動側）ＪＧとがヒンジＨＪによって回動可能に連結された折り畳み式のものである。送話器側ＳＧの筐体ＫＴＳは、表面に操作部ＳＢが設けられたフロントケース１１、および、フロントケース１１の裏面側に接して配置されたリアケ−ス１２からなる。フロントケース１１およびリアケ−ス１２は、それぞれポリカーボネートまたはＡＢＳ樹脂などの合成樹脂の成形（モールディング）によって製作される。なお、受話器側ＪＧのフロントケース３１およびリアケ−ス３２も同様に樹脂成形によって製作される。
【００１４】
操作部ＳＢは、電話番号やその他の情報を入力するための種々の操作ボタン２０が、フロントケース１１に設けられた穴から表面（前面）に突出する状態で配列されており、操作ボタンを押すことによって後述するメインプリント基板２５に設けられた接点やセンサなどがそれを検知するように構成されている。フロントケース１１の操作部ＳＢの下には、ユーザの音声を内部のマイクロホンに伝えるための音声入力口２１が設けられている。
【００１５】
また、リアケ−ス１２には、スピーカ２２ａの出力する音声を外部に伝えるための音声出力口２２、およびストラップを取り付けるためのストラップ取り付け部２３などが設けられている。また、リアケ−ス１２の内部には電池収納部ＲＤが設けられ、その表面は着脱が可能な電池蓋２４となっている。フロントケース１１とリアケ−ス１２とは、リアケ−ス１２の側から挿入されてネジ込まれた４つのネジによって一体化されている。
【００１６】
また、受話器側ＪＧの筐体ＫＴＪは、フロントケース３１、およびフロントケース３１の裏面側に接して配置されたリアケ−ス３２からなる。フロントケース３１の表面には、カラーＬＣＤからなるメインディスプレイ３３が設けられ、その上方に内部の受話用スピーカの出力する音声を外部に伝えるための音声出力口３４が設けられている。
【００１７】
送話器側ＳＧのメインプリント基板２５と受話器側ＪＧのプリント基板３６との間において、フレキシブルケーブル４１により種々の信号の送受信が行われる。フレキシブルケーブル４１は、ヒンジＨＪの内部空間を通って撓んだ状態で配設されており、ヒンジＨＪにおける屈曲に耐えるような屈曲耐性を有している。
【００１８】
メインプリント基板２５の裏面側には、スピーカ２２ａ、アンテナ２９、サブプリント基板２５ａ、および基板ホルダＨＬの組み立て体であるスピーカアンテナモジュールＭＳＡが取り付けられている。
【００１９】
図３において、メインプリント基板２５には、送受信回路を含む高周波回路ＣＨＦ、アンテナ回路ＣＡＴ、その他の回路などのために、ＬＳＩ、ＩＣ、各種コネクタ、フレキシブルケ−ブル、その他種々の電子部品ＢＨが実装されている。メインプリント基板２５の前面側（フロントケース１１の側の面）には、操作ボタン２０の操作を検知して入力する接点やセンサなどを配置した入力シートが実装されている。
【００２０】
図４および図５において、リアケ−ス１２には、ワンタッチブザースイッチＳＯＴが設けられている。ワンタッチブザースイッチＳＯＴは、緊急時などにおいて、スライド部材２５１をユーザが指で矢印方向にスライド移動させることにより、メインプリント基板２５に設けられたスイッチＳＷ１がオンし、これによってスピーカ２２ａからブザー音（警報音）が出力されるものである。なお、図５はスライド部材２５１を移動させた後の状態を示す。ワンタッチブザースイッチＳＯＴによって、防犯などのための警報機能が実現される。ワンタッチブザースイッチＳＯＴは、本発明におけるスイッチ装置に相当する。
【００２１】
次に、ワンタッチブザースイッチＳＯＴについて詳しく説明する。
【００２２】
図６はメインプリント基板２５のスイッチＳＷ１の近辺を拡大して示す斜視図、図７はメインプリント基板２５のスイッチＳＷ１の近辺を拡大して示す平面図、図８はメインプリント基板２５のスイッチＳＷ１の近辺を拡大して示す側面図、図９はワンタッチブザースイッチＳＯＴを図５のＡ−Ａ線から断面して底面側から見た図、図１０はリアケ−ス１２の裏側から見たワンタッチブザースイッチＳＯＴの機構部分を示す図、図１１はリアケ−ス１２の裏側から見たワンタッチブザースイッチＳＯＴの機構部分を示す図、図１２はワンタッチブザースイッチＳＯＴの機構部分を分解して示す平面図、図１３はワンタッチブザースイッチＳＯＴの機構部分を分解して示す側面図、図１４はスライド部材２５１およびボタン部材２６１を図５のＢ−Ｂ線から断面して側面側から見た図である。
【００２３】
図６〜図８に示すように、メインプリント基板２５には、種々の電子部品ＢＨとともに、スイッチＳＷ１およびストッパ部材２８１が取り付けられている。
【００２４】
スイッチＳＷ１は、レバーＬＳＷを押すことによってオンする。つまり、レバーＬＳＷは、自由状態では、メインプリント基板２５の表面に対して斜め上方に延びた姿勢（レバーＬＳＷ１の姿勢）であり、この状態ではスイッチＳＷ１はオフであるが、レバーＬＳＷを押すことによってメインプリント基板２５の表面に近づいた姿勢（レバーＬＳＷ２の姿勢）になると、スイッチＳＷ１はオフからオンに切り換わる。
【００２５】
このようなスイッチＳＷ１として、可動接点を持ったスイッチ、無接点スイッチ、レバースイッチ、近接センサ、容量センサ、光電センサ、その他の種々のセンサまたはスイッチを用いることが可能である。なお、スイッチＳＷ１の接点構成は、ａ接点、ｂ接点、ｃ接点、またはその他の接点構成でもよく、アナログ信号を出力するものでもよい。スイッチＳＷ１の出力する信号または適当な回路を経て出力される信号が、本発明における検出信号に相当する。
【００２６】
ストッパ部材２８１は、銅または銅合金などの金属材料または導電材料によって四角柱状に形成されている。ストッパ部材２８１は、後で説明するように、ボタン部材２６１を押下したときに、その押下によるボタン部材２６１および板バネ２７１の変位量に対して制限を与えるものである。
【００２７】
これら、スイッチＳＷ１およびストッパ部材２８１は、いずれもメインプリント基板２５に表面実装による半田付けによって取り付けられている。ストッパ部材２８１は、メインプリント基板２５におけるグランドラインに接続されており、これによって、ストッパ部材２８１の周辺回路に対するシールド効果が得られ、また、ボタン部材２６１などに生じた静電気を逃がすことなどによって動作の安定化が図られる。
【００２８】
図９〜図１４を参照して、リアケ−ス１２には、長方形状の穴２９１が設けられており、この穴２９１にスライド部材２５１が矢印Ｍ１方向にスライド移動可能に嵌め込まれている。また、リアケ−ス１２には、穴２９１の周辺部の両側から穴２９１の方へ向かって突出する係止部２９２ａ，２９２ｂが設けられている。
【００２９】
スライド部材２５１のスライド本体２５２の中央部には、長円形の穴２５３が設けられており、穴２５３に、ボタン部材２６１が下方から上方に向かって挿入されている（図１４参照）。ボタン部材２６１は、スライド部材２５１のスライド移動の方向に対して直角の方向（図９の矢印Ｍ２方向）に移動可能である。ボタン部材２６１は、定常位置〔図９（Ａ）に示す位置〕において、スライド部材２５１のスライド移動を禁止状態にロックするとともに、押下位置〔図９（Ｂ）に示す位置〕において、そのロックが解除されてスライド部材２５１とともにスライド移動が可能である。
【００３０】
スライド部材２５１には、スライド本体２５２の幅方向の中央部であって長手方向の前方において下方に突出するドグ部２５４、ドグ部２５４から両側に延びるガイド部２５５ａ，ｂ、および、スライド本体２５２の幅方向の中央部であって長手方向の後方において下方に突出する係合部２５６が設けられている。スライド本体２５２の後端部には、リアケ−ス１２に設けられた筒部２９５との干渉を避けるための凹部２５７が設けられている。
【００３１】
図１２〜図１４によく示されるように、ボタン部材２６１は、ボタン本体２６２、およびボタン本体２６２の両側に延びた翼部２６３ａ，ｂを有する。ボタン本体２６２は、その下端部２６２ａが板バネ２７１の上面と当接し、板バネ２７１によって上方に付勢されている。
【００３２】
翼部２６３ａ，ｂは、ボタン部材２６１が定常位置〔図９（Ａ）に示す位置〕にあるときには、係止部２９２ａ，２９２ｂと当接して矢印Ｍ１方向に移動できない。したがって、このときには、矢印Ｍ１方向の移動についてボタン部材２６１と一体であるスライド部材２５１は、スライド移動が禁止され、上に述べたロック状態となっている。
【００３３】
ボタン部材２６１を押下すると、翼部２６３ａ，ｂも下方位置へ移動し、翼部２６３ａ，ｂは係止部２９２ａ，２９２ｂと当接することなく、矢印Ｍ１方向に移動可能な状態となる。つまり、ボタン部材２６１の押下によってロック状態が解除され、ボタン部材２６１がスライド部材２５１とともに矢印Ｍ１方向に移動可能となる。
【００３４】
なお、これらスライド部材２５１およびボタン部材２６１は、合成樹脂による成形によって製作される。
【００３５】
板バネ２７１は、バネ鋼を材料とし、スライド移動の方向に延びる帯状に形成されている。中央部に長手方向の２つの穴２７２，２７３が設けられ、端部に取り付け用の穴２７４が設けられている。板バネ２７１は、図９および図１３（Ｄ）に示すように、その側面形状でみると、長手方向の中央部から右手寄りに、上方に突出するように折り曲げられた突出部２７５が設けられている。
【００３６】
図９〜図１１によく示されるように、板バネ２７１は、その先端部がリアケ−ス１２に設けた鍔部２９５に係合した状態で、他端部の取り付け用の穴２７４に挿通されたネジ２９４によって、リアケ−ス１２に設けられたタップ穴２９３にネジ止めされて固定されている。この状態において、上に述べたように突出部２７５がボタン部材２６１の下端部２６２ａに当接し、スライド部材２５１のドグ部２５４が穴２７２を挿通し、係合部２５６が穴２７３を挿通する。
【００３７】
したがって、スライド部材２５１は、これら穴２７２，２７３が設けられた範囲内でスライド移動が可能であるが、係合部２５６が穴２７３の端縁部２７３ａに当接することによって〔図９（Ｂ）、図１１の状態〕、スライド部材２５１のそれ以上のスライド移動が規制され、その結果、スライド部材２５１のスライド移動の移動量が制限される。つまり、板バネ２７１の端縁部２７３ａは、スライド部材２５１を係止する係止部の役目を果たす。
【００３８】
係合部２５６は、板バネ２７１の端縁部２７３ａに確実に当接するように十分に高くしてあり、また、板バネ２７１も、取り付け用の穴２７４に近い部分において上方に折り曲げられて段差が設けられ、係合部２５６との当接が確実に行われるようになっている。
【００３９】
なお、図９（Ｂ）に示す状態では、ボタン部材２６１の下端部２６２ａは板バネ２７１の突出部２７５を乗り越えた状態であり、これによって、ワンタッチブザースイッチＳＯＴがオンの状態で軽くロックされる。ユーザが指に少し力を入れてスライド部材２５１を元の位置にスライド移動させると、下端部２６２ａは突出部２７５を逆方向に乗り越えて図９（Ａ）の状態に戻ることができる。
【００４０】
さて、図９（Ａ）において、ドグ部２５４がスイッチＳＷ１のレバーＬＳＷから離れているので、スイッチＳＷ１はオフである。したがって、この状態ではワンタッチブザースイッチＳＯＴはオフであり、ブザー音は鳴らない。
【００４１】
ユーザが指でボタン部材２６１を押すと、これによってボタン部材２６１は板バネ２７１の付勢力に抗して矢印Ｍ２方向の下方に移動し、上に述べたようにロック状態が解除される。その状態で、ユーザが指でスライド部材２５１をスライド移動させると、図９（Ｂ）の状態となり、ドグ部２５４がスイッチＳＷ１のレバーＬＳＷを押し、スイッチＳＷ１をオンさせる。これによって、ワンタッチブザースイッチＳＯＴがオンとなり、スピーカ２２ａからブザー音が発せられる。
【００４２】
その状態において、係合部２５６が板バネ２７１の端縁部２７３ａに当接し、スライド部材２５１はそれ以上移動することがない。
【００４３】
そして、ユーザがボタン部材２６１を強く押した場合には、板バネ２７１はストッパ部材２８１の上面に当接し、板バネ２７１はそれ以上に下方へ撓むことがなく、ボタン部材２６１もそれ以上に下方へ移動することがない。
【００４４】
したがって、ユーザがボタン部材２６１を強く押し過ぎた場合でも、係合部２５６が板バネ２７１の端縁部２７３ａに当接し、スライド部材２５１はそれ以上移動することがない。これにより、ボタン部材２６１に対する不測の操作によってスライド部材２５１がリアケ−ス１２から抜け出たり脱落することがなく、携帯電話機１の故障や不具合の原因となることが防止される。
【００４５】
ストッパ部材２８１は、表面実装によってメインプリント基板２５に取り付けられるので、特別な組み付け工程を必要としない。したがって、ワンタッチブザースイッチＳＯＴの組み立てが簡単であり、コスト的にも有利である。
【００４６】
また、ストッパ部材２８１はグランドラインに接続されているので、周辺部に対するシールド効果が得られ、ユーザの指を近づけた場合に誘導される可能性のある静電気を逃がして周辺回路を護るという効果もあり、これによって携帯電話機１における動作の安定化が図られる。
【００４７】
上に述べた実施形態において、スライド部材２５１のスライド移動をロックするために、ボタン部材２６１の翼部２６３ａ，ｂが係止部２９２ａ，２９２ｂに当接するようにしたが、これ以外の種々の構造によってロックすることが可能である。
【００４８】
上に述べた実施形態において、スライド部材２５１、ボタン部材２６１、板バネ２７１、ストッパ部材２８１、スイッチＳＷ１、ワンタッチブザースイッチＳＯＴ、リアケ−ス１２、メインプリント基板２５、または携帯電話機１の全体または各部の構造、形状、寸法、個数、材質などは、本発明の趣旨に沿って適宜変更することができる。
【００４９】
上に述べたワンタッチブザースイッチＳＯＴは、携帯電話機１以外の種々の携帯端末機、またはその他の種々の電子機器に適用することができる。
【図面の簡単な説明】
【００５０】
【図１】本発明の一実施形態に係る携帯電話機の外観を示す正面図である。
【図２】図１の携帯電話機の送話器側のリアケ−ス側から見た分解斜視図である。
【図３】図２のメインプリント基板を拡大して示す図である。
【図４】図２のリアケ−スを拡大して示す図である。
【図５】図４のリアケ−スにおけるワンタッチブザースイッチの近辺を示す図である。
【図６】メインプリント基板のスイッチの近辺を拡大して示す斜視図である。
【図７】メインプリント基板のスイッチの近辺を拡大して示す平面図である。
【図８】メインプリント基板のスイッチの近辺を拡大して示す側面図である。
【図９】ワンタッチブザースイッチのＡ−Ａ線断面矢視図である。
【図１０】ワンタッチブザースイッチの機構部分を示す図である。
【図１１】ワンタッチブザースイッチの機構部分を示す図である。
【図１２】ワンタッチブザースイッチの機構部分を分解して示す平面図である。
【図１３】ワンタッチブザースイッチの機構部分を分解して示す側面図である。
【図１４】スライド部材およびボタン部材のＢ−Ｂ線矢視断面図である。
【図１５】従来のスイッチ装置を示す図である。
【符号の説明】
【００５１】
１  携帯電話機（携帯端末機）
１１  フロントケース
１２  リアケ−ス
２５  メインプリント基板（プリント基板）
２５１  スライド部材
２５３  穴
２６１  ボタン部材
２７１  板バネ（バネ部材）
２７３ａ  端縁部（係止部）
２８１  ストッパ部材
ＳＷ１  スイッチ（検出素子）
【図１】
2009301829.tif 000003
【図２】
2009301829.tif 000004
【図３】
2009301829.tif 000005
【図４】
2009301829.tif 000006
【図５】
2009301829.tif 000007
【図６】
2009301829.tif 000008
【図７】
2009301829.tif 000009
【図８】
2009301829.tif 000010
【図９】
2009301829.tif 000011
【図１０】
2009301829.tif 000012
【図１１】
2009301829.tif 000013
【図１２】
2009301829.tif 000014
【図１３】
2009301829.tif 000015
【図１４】
2009301829.tif 000016
【図１５】
2009301829.tif 000017